(57)【要約】  【課題】  従来の護岸工法に比べてより安価に所望の裸地面の保護とその緑化を同時に達成することのできる護岸工法を提供すること。  【解決手段】  河川、湖沼、ダム湖等の岸辺の傾斜した裸地面１に、メッシュ布付き網状体２を敷設し、この網状体２の上面に適宜径の丸太５またはロープ９よりなる複数の凸状体５Ａ（９Ａ）を等高線に沿うように連続的または断続的に形成する。  【選択図】  図１
2005146619.tif 000002
【特許請求の範囲】
【請求項１】
河川、湖沼、ダム湖等の岸辺の傾斜した裸地面に、メッシュ布付き網状体を敷設し、この網状体の上面に適宜径の丸太またはロープよりなる複数の凸状体を等高線に沿うように連続的または断続的に形成することを特徴とする護岸工法。
【請求項２】
河川、湖沼、ダム湖等の岸辺の傾斜した裸地面に丸太よりなる複数の柵を連続的または断続的に形成し、前記柵の上方側の傾斜部を埋め戻してほぼ水平なバンク部を形成し、このバンク部の上面に、メッシュ布付き網状体を敷設することを特徴とする護岸工法。
【請求項３】
メッシュ布付き網状体の網状体部がジオテキスタイルネットよりなる請求項１または２に記載の護岸工法。
【請求項４】
メッシュ布付き網状体のメッシュ布がメッシュ不織布である請求項１〜３のいずれかに記載の護岸工法。
【発明の詳細な説明】
【技術分野】
【０００１】
この発明は、護岸工法に関し、特に、河川、湖沼、ダム湖等の岸辺の法面（例えば、堤体の法面，河川の低水位敷き等）を護岸しかつ緑化する護岸工法に関する。
【背景技術】
【０００２】
例えば河川にダムを建設した場合、そのダムの上流側の両側には傾斜した裸地面（法面の一種）が形成される。この裸地面は、ダムによってせき止められた水の波（水面波）によって土砂の洗い出し（吸い出しとも言う）を受け、裸地面が浸食される。このような水面波による洗い出しを防ぐため、従来においては、丸太などによる柵工を形成していた。このような柵工によれば、緩勾配となった傾斜面に植物を生育させることができ、前記裸地面の護岸と緑化を同時に達成することができる。
【特許文献１】特開２０００−３４７３１号公報
【発明の開示】
【発明が解決しようとする課題】
【０００３】
しかしながら、前記従来の護岸工法においては、工費が嵩むとともに、柵工の間の土砂の流出を完全に防止することはできず、前記流出を防止するには、植生がある程度の大きさまでに生育するのを待つ必要があった。そして、前記従来の護岸工法は、急勾配地においては工事が困難であり、当該工法を適用できない斜面があり、仮に適用できるとしても緩勾配地における場合に比べてかなりコストアップするといった問題がある。そして、前記工法の施工が可能であったとしても、土砂の洗い出しを受ける面積が大きくなるといった問題もあり、必ずしも有利な工法とは言えない面があった。なお、斜面をモルタルなどの構造物で覆うようにした場合、緑化景観上の問題がある。
【０００４】
この発明は、上述の事柄に留意してなされたもので、その目的は、従来の護岸工法に比べてより安価に所望の裸地面の保護とその緑化を同時に達成することのできる護岸工法を提供することである。
【課題を解決するための手段】
【０００５】
上記目的を達成するために、この発明の護岸工法は、河川、湖沼、ダム湖等の岸辺の傾斜した裸地面に、メッシュ布付き網状体を敷設し、この網状体の上面に適宜径の丸太またはロープよりなる複数の凸状体を等高線に沿うように連続的または断続的に形成することを特徴としている（請求項１）。
【０００６】
また、上記目的を達成するために、この発明の護岸工法は、河川、湖沼、ダム湖等の岸辺の傾斜した裸地面に丸太よりなる複数の柵を連続的または断続的に形成し、前記柵の上方側の傾斜部を埋め戻してほぼ水平なバンク部を形成し、このバンク部の上面に、メッシュ布付き網状体を敷設することを特徴としている（請求項２）。
【０００７】
上記いずれの護岸工法においても、メッシュ布付き網状体の網状体部がジオテキスタイルネットで構成してもよく（請求項３）、また、メッシュ布として、メッシュ不織布を用いるようにするのがよい（請求項４）。
【発明の効果】
【０００８】
請求項１に記載の護岸工法によれば、メッシュ布付き網状体によって岸辺の傾斜した裸地面の土砂の流出や洗い出しが抑止される。そして、前記網状体の上面には丸太またはロープよりなる複数の凸状部が連続的または断続的に形成されるので、この凸状部に土砂や水面または水中を浮遊する種子が係止定着し、特に、種子がメッシュ布に種子が定着し、裸地面の表面、つまり、地面に好適に接触させるようにして保持される。したがって、自然状態に近い植生環境を作ることができる。つまり、この発明の護岸工法によれば、前記裸地面が周囲の自然と好適に調和した状態で好適に緑化されることになる。
【０００９】
そして、前記護岸工法は、傾斜した裸地面上にメッシュ布付き網状体を敷設し、前記網状体の上面に、例えば、間伐材などよりなる丸太ややしロープを配置して網状体の上面に複数の凸状体を等高線に沿うように連続的または断続的に形成するといったきわめて安価な材料を用いるだけであるので、前記裸地面の勾配の緩急に関係なく安価に施工することができ、特に、急勾配の裸地面においては、従来のこの種の護岸工法に比べて半分以下のコストで施工することができる。
【００１０】
つまり、上記護岸工法によれば、河川、湖沼、ダム湖等の岸辺の傾斜した裸地面を、周囲の自然と好適に調和した状態で安価に緑化することができる。
【００１１】
そして、請求項２に記載の護岸工法によれば、請求項１に記載の護岸工法と比べた場合、施工内容が若干複雑であり、材料費なども嵩むものの、裸地面の緑化という点においては、請求項１に記載の護岸工法と同様の効果を奏することができる。
【００１２】
また、請求項３に記載してあるように、網状体部がジオテキスタイルネットよりなる場合、増水時における流木等による衝撃に好適に耐えることができる。さらに、請求項４に記載してあるように、メッシュ布としてメッシュ不織布よりなるものを用いた場合、定着した種子を裸地面の表面、つまり、地面に好適に接触させるようにして保持することができ、自然状態に近い植生環境を作ることができる。
【発明を実施するための最良の形態】
【００１３】
図１〜図３は、この発明の第１実施例を示し、例えば河川に建設されるダム湖の上流側に形成される傾斜した裸地面に適用される護岸工法を示している。まず、図１において、１はダムの上流側に形成される傾斜した裸地面である。２は裸地面１に敷設されるメッシュ布付き網状体で、例えばメッシュ不織布付きジオテキスタイルネット（以下、メッシュ不織布付きジオテキネットという）よりなるもので、図２（Ａ），（Ｂ）に示されるように、網状体部３の一方の面にメッシュ不織布４を付設してなり、メッシュ不織布４が裸地面１に接するようにして裸地面１に敷設される。
【００１４】
すなわち、前記網状体部３は、平面視矩形状で、適宜の素材、例えば、動物性繊維、植物性繊維やポリエチレンやポリプロピレンなどの合成樹脂繊維などを用いて、その目合い３ａが例えば２０ｍｍ角になるように編組されている。また、前記メッシュ不織布４は、網状体部３と同様の素材よりなり、網状体部３の目合い３ａに比べてかなり小さく、土砂の流出をある程度防止するとともに、発芽した植物の生育を妨げない程度の径（例えば数ｍｍ）を有する小孔４ａが多数形成されている。
【００１５】
５は裸地面１に付設されたメッシュ不織布付きジオテキネット２の上面に載置される、例えば直径１０ｃｍ程度の丸太で、適宜の長さ（例えば、３〜５ｍ）に切断されており、例えば、廃材にしてもよいような材木や、施工対象の裸地面１の近傍において得られる間伐材などを好適に用いることができる。６はこの丸太５をメッシュ不織布付きジオテキネット２上において所定の状態で固定保持するためのアンカーピンである。
【００１６】
次に、図３をも参照しながら施工手順の一例を説明すると、図１に示すように、ダム湖の岸辺の傾斜した裸地面１に、図２（Ａ），（Ｂ）に示すようなメッシュ不織布付きジオテキネット２を、複数枚、メッシュ不織布４が裸地面１に接するようにして敷きつめる。この場合、図示していないが、各メッシュ不織布付きジオテキネット２を適宜のアンカーピンを用いて裸地面１に固定するのが好ましい。なお、前記メッシュ不織布付きジオテキネット２の敷設を行う前に、裸地面１における凹凸をできるだけ少なくなるように整地しておくのが好ましい。
【００１７】
次いで、裸地面１上に敷きつめられたメッシュ不織布付きジオテキネット２上に、例えば直径１０ｃｍ×３ｍ程度の丸太５を、等高線に沿うようにして、連続的に（図３（Ａ）参照）、あるいは、千鳥状に（同図（Ｂ）参照）配置する。この場合、裸地面１をこれによって、前記メッシュ不織布付きジオテキネット２上には、複数の凸状体５Ａが等高線に沿うように連続的または断続的に形成される。そして、各丸太５の裸地面１における傾斜低位側にアンカーピン６を打ち込むことにより、各丸太５をメッシュ不織布付きジオテキネット２上に所定の状態で固定保持する。
【００１８】
上記施工後の裸地面１においては、ダム湖の水位が、図１において符号７で示すように上昇して裸地面１を覆うようになっても、裸地面１の表面がメッシュ不織布付きジオテキネット２によって被覆されているので、裸地面１の土砂の流出や洗い出しが抑止される。そして、メッシュ不織布付きジオテキネット２の上面には、複数の丸太５よりなる複数の凸状部５Ａが連続的または断続的に形成されているので、この凸状部５Ａに土砂や水面または水中を浮遊する、例えばアメリカセンダングサやオナモミ等の種子がメッシュ不織布付きジオテキネット２のメッシュ不織布４に係止定着するとともに、前記凸状部５Ａの傾斜高位側には、係止定着した土砂等によって植生地盤８が形成され、前記種子が好適に発芽し、生育することができる。この場合、前記種子は、メッシュ不織布４に定着し、裸地面の表面、つまり、地面に好適に接触させるようにして保持される。したがって、自然状態に近い植生環境を作ることができる。つまり、この発明の護岸工法によれば、裸地面１が周囲の自然と好適に調和した状態で好適に緑化されることになる。
【００１９】
この発明は、上述の実施例に限られるものではなく、種々に変形して実施することができる。すなわち、図４は、この発明の第２実施例を示すもので、この実施例においては、メッシュ不織布付きジオテキネット２上にロープ９を等高線に沿うようにして配置して、前記第１実施例と同様に、メッシュ不織布付きジオテキネット２上に凸状部９Ａを形成している。ここで用いるロープ９としては、ヤシロープのように、安価でしかも柔軟性や保水性に優れたものが好ましく、ロープ９が柔軟性を有することによって、裸地面１に多少の凹凸があってもこれに沿わせて所定の凸状部９Ａを形成することができる。また、ロープ９が保水性を有することにより、生育した植物が乾燥して枯れるといったことが防止される。
【００２０】
上述のように、丸太５やロープ９によって形成される凸状部５Ａ，９Ａは、メッシュ不織布付きジオテキネット２上に等高線に沿うようにして連続的または断続的に形成してもよいが、この凸状部５Ａ，９Ａを図５（Ａ），（Ｂ）に示すように形成してもよい。すなわち、図５（Ａ）は、前記凸状部５Ａ，９Ａを緩いＶ字上に配置したものである。また、同図（Ｂ）に示すように、丸太５を短く切断し、これを円柱のようにしてメッシュ不織布付きジオテキネット２上に立設するようにしてもよい。
【００２１】
ところで、上述した各実施例においては、メッシュ不織布付きジオテキネット２を傾斜した裸地面１を覆うように敷きつめていたが、図６に示すように、適宜径および適宜長さの丸太１０よりなる複数の柵１１を連続的または断続的に形成し、この柵１１の上方側の傾斜部を埋め戻してほぼ水平なバンク部１２を形成し、このバンク部１２の上面に、メッシュ不織布付きジオテキネット２Ａを敷設するようにしてもよい。このとき、メッシュ不織布付きジオテキネット２Ａを、柵１１の裏側から連続するように敷設すると、洗い出しがより効果的に抑止される。なお、１３は丸太１０を保持するために裸地面１に打ち込まれる杭である。
【００２２】
この実施例に係る護岸工法においては、上述した実施例の護岸工法に比べて施工内容が若干複雑になり、工費もそれだけ嵩むが、裸地面１の勾配が緩和されるので、植物の生育が容易に行われるといった利点がある。なお、この実施例で用いるメッシュ不織布付きジオテキネット２Ａや丸太１０は、図１〜図５に示した実施例におけるものと同様に構成されたものを使用してもよいことはいうまでもない。
【００２３】
なお、メッシュ不織布付きジオテキネット２Ａのメッシュ不織布部には、必要に応じて、従来から使用されている緑化用種子や、施工現地で採取した種子等を貼着してもよい。また、メッシュ不織布付きジオテキネット２Ａに適宜切れ目を入れて、その箇所に樹木等の苗を植栽してもよい。これらの場合、早期の緑化が可能になる。
【図面の簡単な説明】
【００２４】
【図１】この発明の第１実施例に係る護岸工法を説明するための断面図である。
【図２】前記護岸工法で用いるメッシュ布付き網状体の一例を示すもので、（Ａ）は斜視図、（Ｂ）は一部を拡大して示す平面図である。
【図３】前記護岸工法で用いる丸太の配置例を示すもので、（Ａ）は丸太を連続的に配置した状態を示す斜視図、（Ｂ）は丸太を千鳥状に配置した状態を示す斜視図である。
【図４】この発明の第２実施例に係る護岸工法を説明するための断面図である。
【図５】前記護岸工法で用いる丸太の他の配置例を示す図である。
【図６】この発明の第３実施例に係る護岸工法を説明するための斜視図である。
【符号の説明】
【００２５】
１      裸地面
２      メッシュ布付き網状体
３      網状体部
４      メッシュ布
５      丸太
５Ａ    凸状体
９      ロープ                                                                  ９Ａ    凸状体
１０    丸太
１１    丸太柵
１２    バンク部
１３    メッシュ布付き網状体
【図１】
2005146619.tif 000003
【図２】
2005146619.tif 000004
【図３】
2005146619.tif 000005
【図４】
2005146619.tif 000006
【図５】
2005146619.tif 000007
【図６】
2005146619.tif 000008